(57)【特許請求の範囲】
【請求項１】
コネクタや電気接続箱等における端子収容室に端子が挿入される構造において、該端子に半嵌合防止ばねが設けられ、該端子収容室の内壁に、該端子の半嵌合時に該半嵌合防止ばねを弾接させて該端子に挿入方向の反発力を発揮させる傾斜面が設けられたことを特徴とする端子半嵌合防止構造。
【請求項２】
前記半嵌合防止ばねが前記端子の前側の電気接触部ないしその後方において斜め後方外向きに突出し、内向きに撓み可能であることを特徴とする請求項１記載の端子半嵌合防止構造。
【請求項３】
前記端子収容室の内壁の中間部において前記傾斜面が端子挿入方向に向かうにつれて漸次外向きに傾斜して設けられたことを特徴とする請求項１又は２記載の端子半嵌合防止構造。
【請求項４】
前記傾斜面が端子挿入方向の溝部に続いたことを特徴とする請求項１〜３の何れかに記載の端子半嵌合防止構造。
【請求項５】
前記半嵌合防止ばねが前記傾斜面に接触を開始した時点で、前記端子の後端側の電線接続片の後端部が前記端子収容室から突出しており、該端子が該端子収容室に完全嵌合した時点で該後端部が該端子収容室に収容されていることを特徴とする請求項１〜４の何れかに記載の端子半嵌合防止構造。
【請求項６】
前記端子収容室内の端子係止ランスと前記端子との摺動抵抗よりも前記半嵌合防止ばねの反発力が大きく設定されたことを特徴とする請求項１〜５の何れかに記載の端子半嵌合防止構造。
【発明の詳細な説明】
【技術分野】
【０００１】
本発明は、コネクタや電気接続箱の端子収容室に端子を半嵌合なく完全嵌合させる端子半嵌合防止構造に関するものである。
【背景技術】
【０００２】
従来、合成樹脂製のコネクタハウジングの端子収容室に電線付き端子を挿入したり、合成樹脂製の電気接続箱本体の端子収容室に電線付き端子を挿入した際に、電線付き端子がコネクタハウジングや電気接続箱本体の端子収容室に完全に挿入（嵌合）されているか否か、すなわち電線付き端子が端子収容室内の可撓性の係止ランスで完全に係止されているか否かを確認するために、例えば、端子付き電線を引っ張って、電線付き端子が端子収容室から抜き出されるか否かを確認することが一般に行われている。
【０００３】
また、図８（ａ）（ｂ）に示す如く、電線付き端子５１をハウジング５２の端子収容室５３に挿入して端子収容室５３内の係止ランス５４で係止させた際のロック音を、作業者が耳で確認したり、係止ランス５４の撓み具合を目視で確認することで、端子５１の挿入状態を判断することも行われている。
【０００４】
図８（ａ）は端子５１の半嵌合状態、図８（ｂ）は端子５１の完全（正規）嵌合状態であり、端子５１の挿入時の微妙なストローク量の違いで、端子５１の半嵌合、完全嵌合が発生する。図８において、ハウジング５２は合成樹脂製のコネクタハウジング又は電気接続箱本体の一部であり、符号５５は、係止ランス５４の突起５４ａを係合させる端子５１の係合孔、符号５６は、相手端子挿入口、符号５７ａ，５７ｂは、電線５８に対する端子５１の前後の圧着片、をそれぞれ示している。
【０００５】
上記以外の端子半嵌合防止手段として、例えば特許文献１には、コネクタハウジングの端子収容室の内壁面に弾性アーム状の雌端子半挿入防止突起を前方の雄端子挿入口に向けて傾斜状に設け、電線付き雌端子を雌端子半挿入防止突起に押接させつつ端子収容室に挿入（嵌合）し、雌端子の挿入が不完全である場合に（端子収容室内の係止ランスに雌端子が係止されていない場合に）、雌端子半挿入防止突起の反発力で雌端子を端子収容室から後方に押し出すことで、作業者に雌端子の挿入不完全を目視や手感で認識させることが記載されている。
【先行技術文献】
【特許文献】
【０００６】
【特許文献１】特開２００６−１４７２８３号公報
【発明の概要】
【発明が解決しようとする課題】
【０００７】
しかしながら、上記従来の図８に示す端子半嵌合防止手段にあっては、例えば電線付き端子５１をハウジング５２の係止ランス５４に係止させた際のロック音が工場内の騒音にかき消されてしまったり、特に大きな電気接続箱のハウジング５２においては、ロック音が聞き取りにくかったり、係止ランス５４の撓み具合を目視確認することが難しいという懸念があった。
【０００８】
また、上記従来の特許文献１に記載された端子半嵌合防止手段にあっては、コネクタハウジングの端子収容室への端子の挿入が不完全であることを作業者が認識した後、端子を再度、端子収容室内に押し込まなければならず、手間がかかると共に、万一、端子の挿入不完全を作業者が見落とした場合に、端子が挿入不完全のまま次工程に流れてしまい兼ねないという懸念があった。
【０００９】
また、コネクタハウジングの端子収容室のように外部から作業者が容易に目視できるものであればよいが、電気接続箱本体の端子収容室のように、端子収容室の端子挿入口が電気接続箱本体の外壁で囲まれて陰になって見え難くなっている場合には、端子挿入口から押し出された不嵌合の端子を目視確認しにくいという懸念があった。
【００１０】
本発明は、上記した点に鑑み、コネクタや電気接続箱における端子収容室への電線付き端子の不完全嵌合を見落としや手間をかけることなく確実に防止することのできる端子半嵌合防止構造を提供することを目的とする。
【課題を解決するための手段】
【００１１】
上記目的を達成するために、本発明の請求項１に係る端子半嵌合防止構造は、コネクタや電気接続箱等における端子収容室に端子が挿入される構造において、該端子に半嵌合防止ばねが設けられ、該端子収容室の内壁に、該端子の半嵌合時に該半嵌合防止ばねを弾接させて該端子に挿入方向の反発力を発揮させる傾斜面が設けられたことを特徴とする。
上記構成により、端子収容室に端子を挿入した際に、押し込み力不足で端子が不完全嵌合（半嵌合）となった場合に、端子の半嵌合防止ばねがそのばね力（復元力）で端子収容室の内壁の傾斜面を押して端子を挿入方向に移動（前進）させる。これにより、端子が自動的に完全（正規）嵌合する。
【００１２】
請求項２に係る端子半嵌合防止構造は、請求項１記載の端子半嵌合防止構造において、前記半嵌合防止ばねが前記端子の前側の電気接触部ないしその後方において斜め後方外向きに突出し、内向きに撓み可能であることを特徴とする。
【００１３】
上記構成により、端子が端子収容室に初期挿入された時点で半嵌合防止ばねが端子収容室の内壁面に接触（当接）して内向きに撓み、端子の半挿入（半嵌合）時に半嵌合防止ばねが外向きに復元しつつ端子収容室の傾斜面を斜め後方に押圧し、その反力で端子が前方に移動して完全挿入される。半嵌合防止ばねは自由状態において斜め後方外向きに突出しているので、斜め後方に強い押し力を発揮する。
【００１４】
請求項３に係る端子半嵌合防止構造は、請求項１又は２記載の端子半嵌合防止構造において、前記端子収容室の内壁の中間部において前記傾斜面が端子挿入方向に向かうにつれて漸次外向きに傾斜して設けられたことを特徴とする。
【００１５】
上記構成により、端子が端子収容室に初期挿入された時点で半嵌合防止ばねが端子収容室の内壁面に接触（当接）して内向きに撓み、端子の挿入途中において端子収容室の長手方向中間部における端子挿入方向に向かうにつれて漸次外向きに傾斜した傾斜面に押接しつつ外向きに復元して、傾斜面を端子挿入反対方向に強く押圧することで、端子が端子挿入方向に自動的に完全嵌合する。
【００１６】
請求項４に係る端子半嵌合防止構造は、請求項１〜３の何れかに記載の端子半嵌合防止構造において、前記傾斜面が端子挿入方向の溝部に続いたことを特徴とする。
【００１７】
上記構成により、傾斜面が溝部の始端に形成（配置）され、端子の半嵌合防止ばねが傾斜面に摺接しつつ溝部に沿って端子挿入方向に移動（前進）する。溝部は半嵌合防止ばねに対するガイド部兼位置決め部として作用し、半嵌合防止ばねの横幅方向（端子挿入とは直交する方向）の屈曲や捩れが防止されて、半嵌合防止ばねの復元力が端子の推進力として確実に発揮される。
【００１８】
請求項５に係る端子半嵌合防止構造は、請求項１〜４の何れかに記載の端子半嵌合防止構造において、前記半嵌合防止ばねが前記傾斜面に接触を開始した時点で、前記端子の後端側の電線接続片の後端部が前記端子収容室から突出しており、該端子が該端子収容室に完全嵌合した時点で該後端部が該端子収容室に収容されていることを特徴とする。
【００１９】
上記構成により、作業者が端子挿入過程で端子の後端側の電線接続片（圧着片）を目視確認して、電線接続片が端子収容室から突出している場合は、端子が半嵌合であるという判断をし、電線接続片が見えなくなるまで端子を押し込んで（必ずしも完全挿入させなくともよい）、半嵌合防止ばねの力で自動的に完全嵌合させる。端子が半嵌合であっても（作業者が半嵌合であることに気づいていなくても）、電線接続片が目視で確認できなければ、半嵌合防止ばねの力で端子が自動挿入されるので、問題はない。端子収容室から端子の電線接続片が大きく突出している場合は半嵌合防止ばねによる自動挿入が行われないので、作業者は、電線接続片が端子収容室から後方に突出している場合のみ気を付ければよく、作業者の負担が軽減される。
【００２０】
請求項６に係る端子半嵌合防止構造は、請求項１〜５の何れかに記載の端子半嵌合防止構造において、前記端子収容室内の端子係止ランスと前記端子との摺動抵抗よりも前記半嵌合防止ばねの反発力が大きく設定されたことを特徴とする。
【００２１】
上記構成により、端子の半嵌合時に、係止ランスが端子に押接して外向きに撓み、それと同時に端子の半嵌合防止ばねが端子収容室内の傾斜面に接触を開始し、半嵌合防止ばねの反発力（復元力）が係止ランスの押接力（摺動摩擦抵抗）に打ち勝って、端子が係止ランスに摺接しつつ自動挿入されて完全嵌合し、それと同時に係止ランスが内向きに復元して端子を係止する（端子の係合孔ないし係合段部に係合する）。
【発明の効果】
【００２２】
請求項１記載の発明によれば、端子の半嵌合防止ばねを端子収容室の内壁の傾斜面に押接させた際のばね反力で端子を自動的に完全挿入させることができるので、コネクタや電気接続箱における端子収容室への電線付き端子の不完全嵌合を見落としや手間をかけることなく確実に防止することができる。
【００２３】
請求項２記載の発明によれば、斜め後方外向きに突出する半嵌合防止ばねの復元力で端子収容室の傾斜面を強く後方に押圧することで、端子を確実に前進させることができ、端子の半嵌合を確実に防止することができる。
【００２４】
請求項３記載の発明によれば、端子挿入方向に向かうにつれて漸次外向きに傾斜した傾斜面を半嵌合防止ばねで押圧することで、端子を確実に自動挿入させることができ、端子の半嵌合を確実に防止することができる。
【００２５】
請求項４記載の発明によれば、傾斜面に続く溝部で端子の半嵌合防止ばねを位置決め・案内して、半嵌合防止ばねの不要な変形を防止し、半嵌合防止ばねの力を端子の自動挿入力として確実に発揮させることができる。
【００２６】
請求項５記載の発明によれば、端子収容室から端子の電線接続片が突出していなければ、たとえ端子が半嵌合であっても、半嵌合防止ばねの力で自動挿入されるので、作業者は電線接続片が大きく突出している場合のみ気を付ければよく、作業者の負担を軽減することができる。
【００２７】
請求項６記載の発明によれば、端子の半嵌合時に係止ランスの押接力に打ち勝って端子をスムーズ且つ確実に自動挿入（完全嵌合）させることができる。
【図面の簡単な説明】
【００２８】
【図１】本発明の端子半嵌合防止構造で使用する端子の一実施形態を示す斜視図である。
【図２】同じく端子を示す、（ａ）は平面図、（ｂ）は正面図、（ｃ）は側面図、（ｄ）は背面図である。
【図３】端子半嵌合防止構造で使用するハウジングの一実施形態を示す、（ａ）は斜視図、（ｂ）は縦断面斜視図である。
【図４】同じくハウジングを示す、（ａ）は平面図、（ｂ）は縦断面図である。
【図５】本発明の端子半嵌合防止構造における端子の初期挿入状態を示す縦断面図である。
【図６】同じく端子の半嵌合状態を示す縦断面図である。
【図７】同じく端子の完全嵌合状態を示す縦断面図である。
【図８】従来の端子嵌合構造の一形態を示す、（ａ）は端子の半嵌合状態の縦断面図、（ｂ）は端子の完全（正規）嵌合状態の縦断面図である。
【発明を実施するための形態】
【００２９】
図１〜図２は、本発明の端子半嵌合防止構造における電線付き端子の一実施形態、図３〜図４は同じくコネクタハウジング又は電気接続箱の端子収容ブロックの一実施形態、図５〜図７は、これら電線付き端子とコネクタハウジング又は電気接続箱の端子収容ブロックとを用いた端子半嵌合防止構造の一実施形態を示すものである。
【００３０】
図１〜図２の如く、本例の端子１は導電金属製の雌端子であり、前半の略矩形箱状の電気接触部２と、後半の電線圧着部（接続部）３と、電気接触部２の後端に一体に設けられた半嵌合防止ばね４とで構成されている。
【００３１】
電気接触部２は、上下左右の壁部で成る周壁５と、周壁５の下側の壁部（図２（ｄ））５ｂの前端から周壁５内に後向きに折り返された弾性接触片６とで構成されている。弾性接触片６に対向して上側の壁部５ａの内面側に雄端子接触用の左右一対の突条７（図２（ａ）（ｂ））が設けられ、上側の壁部５ａの後端に半嵌合防止ばね４が設けられている。
【００３２】
また、周壁５の下側の壁部５ｂに後述のコネクタハウジング又は電気接続箱の端子収容ブロックといったハウジング８（図３）の端子収容室９内の端子係止ランス１０に対する矩形状の係合孔１１（図２（ｄ））が設けられ、周壁５の左右の壁部５ｃ，５ｄの下端に姿勢安定用の板片であるスタビライザ１２が設けられている。
【００３３】
なお、明細書における「前後上下左右」の方向性は説明の便宜上のものであり（端子１の先端側を前として説明している）、必ずしも端子１やハウジング８の取付方向と一致するものではない。例えば電気接続箱の端子収容ブロック（ハウジング）８の端子収容室９（図３）は上下方向（垂直）に設けられているので、端子１の「前端」を「上端」、「上下」を「前後」と言い直してもよい。
【００３４】
端子１の半嵌合防止ばね４は、電気接触部２の上側の壁部５ａの後端から斜め後方上向き（外向き）に突出した前側の傾斜片部４ａと、前側の傾斜片部４ａの上端側で略円弧状に屈曲した頂部４ｂと、頂部４ｂから下向きないし斜め後方下向きに折り返され、前側の傾斜片部４ａよりも短い（略半分程度の長さの）後側の傾斜片部（湾曲片部）４ｃとで、自由状態において略への字状（一辺が長く他辺が短い略逆Ｖ字状）に構成されている。
【００３５】
半嵌合防止ばね４は、電気接触部２の上側の壁部５ａの外面や、上側の壁部５ａの外面を押さえる右側の側壁５ｃの上端の加締め片５ｃ1や、後側の左右一対の電線圧着片（絶縁被覆圧着片）３ｂよりも高く突出している。絶縁被覆圧着片３ｂ（図２（ｃ））は電気接触部２の上側の壁部５ａの内面と略同じ高さに位置している。
【００３６】
半嵌合防止ばね４（図２（ｂ））は電気接触部２の上壁５ａの幅方向中央において上壁５ａの後端に配置され、電気接触部２の横幅の略１／３程度の板幅で形成されている。半嵌合防止ばね４の後方に前側の左右一対の電線圧着片（導体圧着片）３ａが低く位置している。
【００３７】
半嵌合防止ばね４（図１，図２（ｂ）（ｃ））の下側において電気接触部２の左右の側壁５ｃ，５ｄは後方の低い左右の側壁１３に続き、低い左右の側壁１３の間とその上側とに半嵌合防止ばね４を撓ませるための空間１４が形成されている。低い左右の側壁１３は後方の電線圧着片（導体圧着片）３ａに一体に続いている。
【００３８】
図３（ａ）（ｂ）の如く、合成（絶縁）樹脂製のコネクタハウジング又は合成（絶縁）樹脂製の電気接続箱本体の端子収容ブロックといったハウジング８は、上下左右の壁部（周壁）１５と前側の壁部１６とで前端の閉止された略矩形筒状に形成され、内側に端子収容室９を有し、端子収容室９の上側の壁部（内壁）１５ａの長手方向中間部に、端子１（図１）の半嵌合防止ばね４を摺接させる傾斜面１７（図３（ｂ））を有している。
【００３９】
傾斜面１７の後端１７ａは上側の壁部１５ａの内面１５ａ1に続き、傾斜面１７の前端１７ｂは、上側の壁部１５ａに設けられた前後方向（端子収容室長手方向）の細長の溝部１８の底面１８ａに続き、溝部１８の底面１８ａと上側の壁部１５ａの内面１５ａ1とは平行に位置し、溝部１８の前端はハウジング８の前側の壁部１６に開口し（開口を符号１８ｂで示す）、傾斜面１７は溝部１８の後端側に位置し、傾斜面１７の後端１７ａから前端１７ｂにかけて漸次外向きに（上側の壁部１５ａの外面に向けて）傾斜して位置している。溝部１８は、端子１の半嵌合防止ばね４に対する前後方向のガイド部兼左右方向の位置決め部として作用する。
【００４０】
ハウジング８の下側の壁部１５ｂの前半には、溝部１８に対向して雌端子係止用の可撓性の係止ランス１０が設けられ、係止ランス１０は、下側の壁部１５ｂの前半側の矩形状の切欠部１９内に撓み可能に配置され、切欠部１９の後端から端子収容室９に向けて内向きに傾斜状に突出したランス本体１０ａと、ランス本体１０ａの前部内面に突出した突起１０ｂとで構成され、突起１０ｂは前側の係止面１０ｂ1と後側の傾斜面１０ｂ2（図４）を有している。切欠部１９は係止ランス撓み空間として作用する。
【００４１】
本例のハウジング８は電気接続箱本体の端子収容ブロックであり、端子収容ブロック８には例えば周壁１５に不図示の他の複数の端子収容ブロック（８）が隣接して一体に連結配置されて、接続ブロックを成す。接続ブロックは例えば不図示の枠状のフレーム内に収容され、フレームの上下に不図示のカバーが装着されて、電気接続箱を構成する。図３，図４では便宜上、一つの端子収容ブロック８を電気接続箱本体（接続ブロック）から切り離して示している。ハウジング８がコネクタハウジングの場合は、切欠部１９は下側の壁部１５ｂの内側において係止ランス撓み空間として配置され、切欠部１９は外部に開口せずに封止される。
【００４２】
図４（ａ）（ｂ）にも示す如く、端子収容ブロック（ハウジング）８の前側の壁部１６には相手雄端子（図示せず）を挿入するための横長の相手端子挿入口２０が設けられ、相手端子挿入口２０の上下に溝部１８の前端１８ｂと係止ランス型抜き兼解除用の切欠孔２１とが交差している。相手雄端子としては例えばヒュージブルリンクやリレー等といった電気部品の雄端子が挙げられる。ハウジング８がコネクタハウジングの場合は相手雄端子を収容した相手コネクタのフード部がコネクタハウジング８の外側に嵌合して、雄端子と雌端子１（図１）が相互に接続される。
【００４３】
溝部１８の後部側に傾斜面１７が位置し、傾斜面１７の前方に溝部１８内の空間（符号１８で代用）が位置し、溝部１８の空間は傾斜面１７と傾斜面に続く上側の内面１８ａと左右の内側面１８ｃ，１８ｄとで囲まれて構成され、傾斜面１７の後端１７ａに続く上側の壁部１５ａの内面１５ａ1よりも内側に相手雄端子挿入口２０が位置している。傾斜面１７の斜め前方下側に対向して係止ランス１０が位置している。係止ランス１０の突起１０ｂは下側の壁部１５ｂの内面１５ｂ1から内向きに突出している。
【００４４】
上側の壁部１５ａと下側の壁部１５ｂと左右の壁部１５ｃ，１５ｄとの各内面で囲まれた略矩形状の空間すなわち端子収容室９の後部開口９ａが雌端子挿入口となっている。下側の壁部１５ｂの内面１５ｂ1には、端子１（図１）のスタビライザ１２を案内する前後方向（端子収容室長手方向）の不図示の溝が設けられている。上側の壁部１５ａの内面１５ａ1には、端子１（図１）の電気接触部２の上側の壁部５ａから少し突出した加締め片５ｃ1に対する逃がし用の不図示の係合溝が前後方向（端子収容室長手方向）に設けられている。
【００４５】
以下に図５〜図７を用いて端子半嵌合防止構造の作用を説明する。なお、図５〜図７においては端子１とハウジング８を図１〜図４とは上下反転させて示している。
【００４６】
先ず、図５の如く、電線２２付きの雌端子１をハウジング８の端子収容室９に後部開口９ａから矢印Ａ方向（前向き）に挿入する。端子１の半嵌合防止ばね４は、図２（ｃ）の自由状態から挿入時にハウジング８の上側の壁部１５ａの内面１５ａ1に摺接しつつ内向きに撓んで端子１の進入を許容する。半嵌合防止ばね４の前側の傾斜片部４ａは前端の付根４ａ1（図１）を支点に電気接触部２の上側の壁部５ａと同一平面ないしそれに近い位置まで撓んで略平坦に変形する。
【００４７】
端子１の電気接触部２の下側の壁部５ｂの前端がハウジング８の係止ランス１０の突起１０ｂの傾斜面１０ｂ2に突き当たる直前において、半嵌合防止ばね４はハウジング８の上側の壁部１５ａの傾斜面１７の手前でハウジング８の上側の壁部１５ａの内面１５ａ1に接触する。端子１の電線圧着部３のうちの後側の絶縁被覆圧着片（電線接続片）３ｂは端子収容室９の後部開口９ａから外部に完全に露出し、絶縁被覆圧着片３ｂの前端３ｂ1が後部開口９ａと同一平面に位置する。
【００４８】
図５の状態から端子１をさらに挿入することで（端子１の挿入は連続的に行われる）、図６の如く、電気接触部２の下側の壁部５ｂの前端部分が係止ランス１０の突起１０ｂの傾斜面１０ｂ2に摺接しつつ係止ランス１０を外向きに押して撓ませる。その時点で、端子１の半嵌合防止ばね４が内向きに撓んだ状態でハウジング８の上側の壁部１５ａの傾斜面１７の後端１７ａに弾性的に接触して位置する。半嵌合防止ばね４の前側の傾斜片部４ａ（図２（ｃ）参照）の後端部分（頂部４ｂの近傍部分）が傾斜面１７の後端１７ａに弾性的に接触する。
【００４９】
図６の状態は端子１の半嵌合状態であり、もしも作業者がこの状態で端子１の挿入が完了したと勘違いして端子１の挿入作業を止めてしまった場合は、図６の状態から端子１の半嵌合防止ばね４が弾性的に外向きに復元しつつ、復元力でハウジング８の傾斜面１７を後向きに押圧し、且つ傾斜面１７の後端１７ａから前端１７ｂにかけて摺接し、半嵌合防止ばね４が傾斜面１７を押した反力で端子１が前方（端子挿入方向）に移動して、図７の如く、端子１がハウジング８の端子収容室９に自動的に完全（正規）嵌合される。
【００５０】
図６において、半嵌合防止ばね４の復元反力すなわちハウジング８の傾斜面１７を押して端子１を前進（推進）させる力は、外向きに撓んだ係止ランス１０が端子１の電気接触部２の外面に押接する力（摩擦力）よりも大きく設定されている。
【００５１】
半嵌合防止ばね４が傾斜面１７に押接した際に半嵌合防止ばね４の力は、例えば傾斜面１７に直交（交差）する力と、端子挿入とは反対方向の力と、端子挿入とは直交方向の力とに分力され、端子挿入とは反対方向の力が端子１を推進する力となる。本例の半嵌合防止ばね４は、図６の状態から図７の状態に至るまでの間で、前側の傾斜片部４ａの傾斜角度（電気接触部２の上側の壁部５ａの仮想延長線と前側の傾斜片部４ａとのなす角度）がほぼ０°から鋭角的に変化し、傾斜面１７に鋭角的に交差するので、傾斜面１７を後向き（端子挿入とは反対方向）に押す力すなわち端子１を推進する力が大きい。
【００５２】
図７において、端子１の半嵌合防止ばね４の頂部４ｂがハウジング８の傾斜面１７の前端１７ｂすなわち傾斜面１７と上側の壁部１５ａの溝部１８の底面１８ａとの交差部に接触し、下側の壁部１５ｂの係止ランス１０は弾性的に内向きに復元して、係止ランス１０の突起１０ｂが端子１の下側の壁部５ｂの係合孔１１に進入係合し、突起１０ｂの前端の係止面１０ｂ1が係合孔１１の前端１１ａに当接して端子１の後抜けを防ぐ。端子１の電気接触部２の前端はハウジング８の前側の壁部１６の内面に当接してそれ以上の端子１の挿入が阻止される。
【００５３】
また、図６の端子１の半嵌合状態すなわち半嵌合防止ばね４がハウジング８の傾斜面１７の後端（始端）１７ａに接触した状態で、端子１の電線圧着部３のうちの後側の絶縁被覆圧着片３ｂの後端部はハウジング８の端子収容室９の後部開口９ａから外部に短い寸法Ｌで少し露出（突出）している。この突出した絶縁被覆圧着片３ｂの後端部を作業者が目視することで、端子１の半嵌合を確認することができる。
【００５４】
そして、絶縁被覆圧着片３ｂが外部に露出しない程度に端子１を端子収容室９内に押し込むことで、上記半嵌合防止ばね４の作用で端子１を自動的に確実に完全嵌合させることができる。図６の寸法Ｌで絶縁被覆圧着片３ｂが少し突出していても、前述の如く端子１の自動挿入は可能であるが、絶縁被覆圧着片３ｂを突出しないように押し込むことで、一層確実に端子１を自動挿入させることができる。図６の状態から端子１を少し押し込むことで、従来例の図８（ａ）におけると同じ端子挿入状態（半嵌合状態）となるので、従来の端子半嵌合は確実に防止される。
【００５５】
図７の端子１の完全嵌合状態で、相手端子挿入口２０から不図示の雄端子が後向きに挿入されて、雌端子１の電気接触部２内で弾性接触片６と上側の壁部５ａの内面の突条２３とで挟持接続される。
【００５６】
なお、上記実施形態においては、端子として雌端子１を用いた例で説明したが、端子として不図示の雄端子を用いて、雄端子のタブ（板）状の電気接触部の後方に短い矩形筒状ないし箱状の箱状部を突出形成し、箱状部の後方に電線圧着部３を形成し、箱状部の後端上部に前記同様の半嵌合防止ばね４を一体に設けることも可能である。図１の雌端子１の電気接触部２も箱状部とも言える。
【００５７】
この場合、例えば図５のハウジング８の端子収容室９内に雄端子の箱状部と電線圧着部３とが収容され、ハウジング８の相手端子挿入口２０から雄端子のタブ状の電気接触部が前方に突出し、タブ状の電気接触部にヒュージブルリンクやリレー等といった電気部品の相手雌端子が挿入接続される。ハウジング８の前側の壁部１６にフード部を一体に設ければ、フード部内に雄端子のタブ状の電気接触部を突出させて、相手雌端子を収容した相手コネクタをフード部内に嵌合接続させることが可能となる。
【００５８】
また、上記実施形態においては、ハウジング８と一体の係止ランス（係止手段）１０を設けて端子１を係止させたが、例えば係止ランス１０を排除し、別部材のスペーサやリテーナといった係止部材（係止手段）を用いて端子１を係止させることも可能である。
【００５９】
また、上記実施形態においては、コネクタや電気接続箱における端子収容室９に傾斜面１７を設けたが、コネクタや電気接続箱以外の接続ブロックや機器等における端子収容室（９）に同様の傾斜面１７を設けることも可能である。
【００６０】
また、上記実施形態においては、半嵌合防止ばね４を前側の長い傾斜片部４ａと湾曲状の頂部４ｂと後側の短い傾斜片部４ｃとで構成したが、後側の傾斜片部４ｃは湾曲状の頂部４ｂを形成するためのものであり、傾斜面１７にスムーズに摺接できる形状であれば、後側の傾斜片部１７ｃをさらに短くして板ばね状の前側の傾斜片部１７ａと湾曲状の頂部（後端部）１７ｂのみで半嵌合ばね４を構成することも可能である。半嵌合防止ばね４の外向きの復元力で端子１の推進力を得られれば、半嵌合防止ばね４の形状は適宜変更可能である。
【００６１】
また、上記実施形態においては、半嵌合防止ばね４を雌端子１の電気接触部２の後端に設けたが、半嵌合防止ばね４を雌端子１の電気接触部２の長手方向中間部に相手側雄端子の挿入の邪魔にならないように設けることも可能である。例えば、図５の例における係止ランス１０をハウジング８の上側の壁部１５ａに設けて、係止ランス１０で雌端子１の電気接触部２の上部後端（図５の反嵌合防止ばね４を排除した位置）を係止させ、弾性接触片６のある電気接触部２の下側の壁部（基板部）５ｂの長手方向中間部に半嵌合防止ばね４を切り起こして設け、ハウジング８の下側の壁部１５ｂに傾斜面１７を設けることも可能である。
【産業上の利用可能性】
【００６２】
本発明に係る端子半嵌合防止構造は、コネクタや電気接続箱における端子収容室への電線付き端子の不完全嵌合を見落としや手間をかけることなく確実に防止して、雄・雌端子の電気的接続の信頼性を高めるために利用することができる。
【符号の説明】
【００６３】
１      雌端子（端子）
２      電気接触部
３ｂ    絶縁被覆圧着片（電線接続片）
４      半嵌合防止ばね
９      端子収容室
１０    端子係止ランス
１５ａ  上側の壁部（内壁）
１７    傾斜面
１８    溝部
【図１】
0005920877.tif 000002
【図２】
0005920877.tif 000003
【図３】
0005920877.tif 000004
【図４】
0005920877.tif 000005
【図５】
0005920877.tif 000006
【図６】
0005920877.tif 000007
【図７】
0005920877.tif 000008
【図８】
0005920877.tif 000009